(57)【要約】【課題】  閃光装置を用いた場合、様々な撮影モードに応じて、ホワイトバランス調整値を補正することで、更に向上した撮像装置を提供する。【解決手段】  撮像装置は、システムコントローラ１１１内の内部ＲＯＭ１１３にストロボ発光時ＷＢ補正比率ＬＵＴ１１４とテーブル補正シフト量１１５とを備える。閃光装置１１７を用いた撮影時に、動画・静止画切替回路１１８及び単写・連写切替スイッチ１１９が操作されると、モード毎に設定されたテーブルシフト量１１５分、ストロボ発光時WB補正比率ＬＵＴ１１４をずらし、ホワイトバランスの制御を行う。【選択図】  図１
2007036718.tif 000002
【特許請求の範囲】
【請求項１】
被写体を照明する照明手段と、
少なくとも、前記照明手段の発光量と、前記照明手段によって照明される前の前記被写体の照度とを用いて、ホワイトバランス調整値を決定するホワイトバランス制御手段と
を備え、
前記ホワイトバランス制御手段は、撮影モードに応じて、前記ホワイトバランス調整値を補正することを特徴とする撮像装置。
【請求項２】
前記撮影モードは、少なくとも静止画撮影モード及び動画撮影モードを含むことを特徴とする請求項１に記載の撮像装置。
【請求項３】
前記静止画撮影モードは、少なくとも単写モード及び連写モードを含むことを特徴とする請求項１に記載の撮像装置。
【請求項４】
前記ホワイトバランス制御手段は、撮像した前記被写体の画像に対して複数色の調整を行って前記ホワイトバランス調整値を決定することを特徴とする請求項１〜３のいずれか１項に記載の撮像装置。
【請求項５】
前記ホワイトバランス制御手段は、前記照明手段から照明される光の色温度と、前記照明手段によって照明される前の前記被写体の色温度とから算出されるホワイトバランス補正比率を用いて、前記ホワイトバランス調整値を決定することを特徴とする請求項１〜４のいずれか１項に記載の撮像装置。
【請求項６】
前記ホワイトバランス補正比率は、前記照明手段の発光量と、前記照明手段によって照明される前の前記被写体の照度とから決定されるものであり、
前記発光量と前記照度との関係から求められた前記ホワイトバランス補正比率を表すルックアップテーブルと、前記ルックアップテーブルの前記ホワイトバランス補正比率を前記撮影モードに応じて前記照度方向にシフトさせる補正シフト量とを格納する記憶手段を更に含み、
前記ホワイトバランス制御手段は、前記撮影モードに応じた前記補正シフト量により前記ルックアップテーブルを補正し、前記ホワイトバランス調整値を決定することを特徴とする請求項５に記載の撮像装置。
【請求項７】
前記ホワイトバランス補正比率は、前記照明手段の発光量と、前記照明手段によって照明される前の被写体の照度とから決定されるものであり、
前記照明手段の発光量と前記照明手段によって照明される前の被写体の照度との関係を表し、当該関係の異なる複数のルックアップテーブルを格納する記憶手段を更に含み、
前記ホワイトバランス制御手段は、前記撮影モードに応じた最適な前記ルックアップテーブルを選択し、選択された前記ルックアップテーブルを用いて前記ホワイトバランス調整値を決定することを特徴とする請求項５に記載の撮像装置。
【請求項８】
前記照明手段は、閃光発光を行うものであることを特徴とする請求項１〜７のいずれか１項に記載の撮像装置。
【請求項９】
前記撮影モードは、同じ被写体を撮影した際であっても、撮影モードを変更することにより、得られる画像信号の色再現性が異なる撮影モードであることを特徴とする請求項１〜８のいずれか１項に記載の撮像装置。
【請求項１０】
被写体を照明する照明手段の発光量と、前記照明手段によって照明される前の被写体の照度とを用いて、ホワイトバランス調整値を決定する撮像方法であって、
撮影モードに応じて前記ホワイトバランス調整値を補正するステップと、
前記照明手段により前記発光量で前記被写体を照明し、前記被写体を撮像するステップと
を含むことを特徴とする撮像方法。
【請求項１１】
被写体を照明する照明手段の発光量と、前記照明手段によって照明される前の被写体の照度とを用いて、ホワイトバランス調整値を決定する撮像方法であって、
撮影モードに応じて前記ホワイトバランス調整値を補正するステップと、
前記照明手段により前記発光量で前記被写体を照明し、前記被写体を撮像するステップと
をコンピュータに実行させるためのプログラム。
【請求項１２】
請求項１１に記載のプログラムを記録したコンピュータ読み取り可能な記録媒体。
【発明の詳細な説明】
【技術分野】
【０００１】
本発明は、被写体を照明する照明手段の発光量と、照明手段によって照明される前の被写体の照度とを用いて、ホワイトバランス調整値を決定する撮像装置及び方法、プログラム及び記録媒体に関する。
【背景技術】
【０００２】
撮像装置では、照度の低い被写体を撮影する場合や、逆光状態の被写体を撮影する場合に照明手段（例えばストロボ等の閃光装置）を用いる。通常撮影においては、被写体の色温度に応じてホワイトバランスの調整が行われているが、照明手段を用いた撮影では、被写体の色温度とストロボの色温度それぞれを考慮してホワイトバランスを決定する必要がある。従来より、照明手段を用いた撮影において、被写体の照度と照明手段の発光量の影響度とに基づいて、ホワイトバランス（ＷＢ）制御値を算出する方法が考案されている（例えば、特許文献１を参照）。
【０００３】
上記の撮像装置では、ＷＢ制御値を算出するために、照明手段の発光量及び照明手段の発光前における被写体の照度という２つのパラメータを使っていたが、例えば照明手段の発光量のみからＷＢ制御値を算出する撮像装置が提案されている（例えば、特許文献２を参照）。
【０００４】
【特許文献１】特開２００３−６１１０２号公報
【特許文献２】特開平１１−１３３４７６号公報
【発明の開示】
【発明が解決しようとする課題】
【０００５】
しかしながら、従来の撮像装置において、照明手段を用いた撮影では、撮影モードが異なるとホワイトバランス調整値にズレが生じ、撮影モード毎に最適な画像を得ることはできなかった。
【０００６】
本発明は、上記の課題に鑑みてなされたものであり、照明手段を用いた撮影を行うときに、例えば静止画撮影モード（単写モード及び連写モードを含む）、動画撮影モード等の如何なる撮影モードであっても最適なホワイトバランスで画像を撮影することができる撮像装置及び方法を提供することを目的とする。
【課題を解決するための手段】
【０００７】
本発明の撮像装置は、被写体を照明する照明手段と、少なくとも、前記照明手段の発光量と、前記照明手段によって照明される前の前記被写体の照度とを用いて、ホワイトバランス調整値を決定するホワイトバランス制御手段とを備え、前記ホワイトバランス制御手段は、撮影モードに応じて、前記ホワイトバランス調整値を補正する。
【０００８】
本発明の撮像装置の一態様では、前記ホワイトバランス制御手段は、前記照明手段から照明される光の色温度と、前記照明手段によって照明される前の前記被写体の色温度とから算出されるホワイトバランス補正比率を用いて、前記ホワイトバランス調整値を決定する。
【０００９】
本発明の撮像装置の一態様では、前記ホワイトバランス補正比率は、前記照明手段の発光量と、前記照明手段によって照明される前の前記被写体の照度とから決定されるものであり、前記発光量と前記照度との関係から求められた前記ホワイトバランス補正比率を表すルックアップテーブルと、前記ルックアップテーブルの前記ホワイトバランス補正比率を前記撮影モードに応じて前記照度方向にシフトさせる補正シフト量とを格納する記憶手段を更に含み、前記ホワイトバランス制御手段は、前記撮影モードに応じた前記補正シフト量により前記ルックアップテーブルを補正し、前記ホワイトバランス調整値を決定する。
【００１０】
本発明の撮像装置の一態様では、前記ホワイトバランス補正比率は、前記照明手段の発光量と、前記照明手段によって照明される前の被写体の照度とから決定されるものであり、前記照明手段の発光量と前記照明手段によって照明される前の被写体の照度との関係を表し、当該関係の異なる複数のルックアップテーブルを格納する記憶手段を更に含み、前記ホワイトバランス制御手段は、前記撮影モードに応じた最適な前記ルックアップテーブルを選択し、選択された前記ルックアップテーブルを用いて前記ホワイトバランス調整値を決定する。
【００１１】
本発明の撮像方法は、被写体を照明する照明手段の発光量と、前記照明手段によって照明される前の被写体の照度とを用いて、ホワイトバランス調整値を決定する撮像方法であって、撮影モードに応じて前記ホワイトバランス調整値を補正するステップと、前記照明手段により前記発光量で前記被写体を照明し、前記被写体を撮像するステップとを含む。
【００１２】
本発明の撮像方法の一態様では、前記ホワイトバランス調整値を補正するステップにおいて、前記照明手段から照明される光の色温度と、前記照明手段によって照明される前の前記被写体の色温度とから算出されるホワイトバランス補正比率を用いて、前記ホワイトバランス調整値を決定する。
【００１３】
本発明の撮像方法の一態様では、前記ホワイトバランス補正比率は、前記照明手段の発光量と、前記照明手段によって照明される前の前記被写体の照度とから決定されるものであり、前記発光量と前記照度との関係から求められた前記ホワイトバランス補正比率を表すルックアップテーブルと、前記ルックアップテーブルの前記ホワイトバランス補正比率を前記撮影モードに応じて前記照度方向にシフトさせる補正シフト量とを用意しておき、前記ホワイトバランス調整値を補正するステップにおいて、前記撮影モードに応じた前記補正シフト量により前記ルックアップテーブルを補正し、前記ホワイトバランス調整値を決定する。
【００１４】
本発明の撮像方法の一態様では、前記ホワイトバランス補正比率は、前記照明手段の発光量と、前記照明手段によって照明される前の被写体の照度とから決定されるものであり、前記照明手段の発光量と前記照明手段によって照明される前の被写体の照度との関係を表し、当該関係の異なる複数のルックアップテーブルを用意しておき、前記ホワイトバランス調整値を補正するステップにおいて、前記撮影モードに応じた最適な前記ルックアップテーブルを選択し、選択された前記ルックアップテーブルを用いて前記ホワイトバランス調整値を決定する。
【００１５】
本発明のプログラムは、上記の撮像方法の各ステップをコンピュータに実行させるためのものである。
【００１６】
本発明の記録媒体は、上記のプログラムを記録したコンピュータ読み取り可能なものである。
【発明の効果】
【００１７】
本発明によれば、照明手段を用いた撮影を行うときに、例えば静止画撮影モード（単写モード及び連写モードを含む）、動画撮影モード等の如何なる撮影モードであっても最適なホワイトバランスで画像を撮影することが可能となる。
【発明を実施するための最良の形態】
【００１８】
以下、本発明を適用した緒実施形態について図面を参照しながら詳述する。
【００１９】
（第１の実施形態）
図１は、第１の実施形態による撮像装置の概略構成を示す構成図である。
この撮像装置において、レンズ光学系１０１は、焦点レンズ及びズームレンズを有する。光学絞り１０２は、被写体光の入射を抑制する。撮像素子１０３は、レンズ光学系１０１及び光学絞り１０２を介して入射した被写体光を電気的信号に変換するＣＣＤ型固体撮像素子であり、光電変換部が２次元状に配列されている。また、一列毎に垂直ＣＣＤが配列され、光電変換部の信号は、転送用の転送スイッチを介して、垂直ＣＣＤに転送される。また、垂直ＣＣＤからの信号は、水平ＣＣＤに転送され、その後、撮像素子外部に出力される。撮像素子１０３の出力信号は、ＣＤＳ・ＡＧＣ・Ａ／Ｄ変換回路１０４に入力され、撮像素子１０３の出力信号に対して相関二重サンプリング（ＣＤＳ）、ゲインコントロール（ＡＧＣ）、Ａ／Ｄ変換を行い、対応するデジタル信号を出力する。出力されたデジタル信号は、カメラ信号処理部１０５に送られる。
【００２０】
カメラ信号処理部１０５に入力されたデジタル信号は、輝度・色度輝度信号生成回路１０６に送られる。輝度・色度輝度信号生成回路１０６は、このデジタル信号に基づいて輝度信号Ｙ及び３色の色度信号Ｒ，Ｇ，Ｂをそれぞれ生成する。これらの信号のうち、輝度信号Ｙは閃光装置制御回路１１６に送られる。Ｂゲイン制御１０７は色度信号Ｂのゲイン、Ｒゲイン制御１０８は色度信号Ｒのゲインを変更するものであり、これらによりホワイトバランスが調整される。色差信号生成回路１０９は、Ｂゲイン制御及びＲゲイン制御によって調整された色度信号Ｒ，Ｂ、更には色度信号Ｇとから色差信号Ｒ−Ｙ，Ｂ−Ｙを生成する。これらの色差信号Ｒ−Ｙ，Ｂ−Ｙは、ホワイトバランス（以下、単にＷＢと記す）制御回路１１２に送られる。エンコーダ回路１１０は、輝度信号Ｙと色差信号Ｒ−Ｙ，Ｂ−Ｙとからビデオ信号を生成する。
【００２１】
閃光装置制御回路１１６は、輝度・色度信号生成回路１０６において生成された輝度信号Ｙに基づいて被写体の照度を検出し、更に不図示の被写体距離を検出する距離検出回路から被写体距離を検出し、その検出された被写体の照度及び被写体距離に基づいて閃光装置１１７の発光量を制御する。
閃光装置１１７は、閃光装置制御回路１１６の制御に基づいて被写体を閃光照明する。
【００２２】
システムコントローラ１１１は、ＷＢ制御回路１１２及び内部ＲＯＭ１１３とを備えて構成されている。システムコントローラ１１１は、動画・静止画切替回路１１８を通じて、動画モードと静止画モードとの切り替えタイミングの制御を行う。また、システムコントローラ１１１は、単写・連写切替回路１１９を通じて、静止画モードの際に単写モードと連写モードとの切り替えタイミングの制御を行う。
【００２３】
ＷＢ制御回路１１２は、閃光装置１１７の発光量と、閃光装置１１７によって照明される前の被写体の照度とを用いて、ＷＢ調整値を決定する。
図２は、ホワイトバランスの制御特性を示す特性図である。図２では、横軸が色度信号Ｒの利得値、縦軸が色度信号Ｂの利得値をそれぞれ示す。ここで、Ｑは閃光装置１１７の発光量に対応する閃光装置１１７から発光される光の色温度情報である。Ｑは既知とする。Ｐは閃光装置１１７の発光前に、色差信号生成回路１０９から出力された色差信号Ｂ−Ｙ，Ｒ−Ｙに基づいて決定した被写体の色温度情報である。
【００２４】
ここで、Ｐ，Ｑの色温度情報から実際にホワイトバランスを調整するための利得制御値Ｒを求めるために、図３に示すようなＷＢ補正比率ｋ（制御すべき利得制御の割合：０＜ｋ＜１）のルックアップテーブルを用いる。
このルックアップテーブルは、閃光装置１１７の発光前における被写体の照度と閃光装置１１７の発光量とから、被写体の色温度に対して閃光装置１１７から発光される光の色温度の影響度を示すＷＢ補正比率ｋを実験的に求めたものである。ＷＢ制御回路１１２は、このＷＢ補正比率ｋを用いて、色度信号Ｒの利得制御値が算出され、算出された色度信号Ｒの利得制御値を黒体放射近似特性（太線）に対応する関数ｆに適応して、色度信号Ｂの利得制御値を決定する。
【００２５】
更に、ＷＢ制御回路１１２は、図３に示したルックアップテーブルのＷＢ補正比率ｋを撮影モード静止画撮影モード（単写モード及び連写モードを含む）、及び動画撮影モード）に応じてルックアップテーブルにおける照度方向にシフトさせる補正シフト量を用いて、これらの撮影モードに応じてルックアップテーブルを補正し、ＷＢ調整値を決定する。決定されたＷＢ調整値の信号は、Ｂゲイン制御１０７及びＲゲイン制御１０８に送られる。
【００２６】
内部ＲＯＭ１１３は、上記のルックアップテーブル（ストロボ発光時ＷＢ補正比率ＬＵＴ）１１４及び補正シフト量（テーブル補正シフト量）１１５を格納している。
ＷＢ制御回路１１２は、閃光装置制御回路１１６から閃光装置１１７の発光量を取得し、色差信号生成回路１０９から出力された色差信号に基づいて、被写体の色温度情報を取得する。更にＷＢ制御回路１１２は、内部ＲＯＭ１１３に格納されたルックアップテーブル１１４及び補正シフト量１１５を用いて、撮影モードに応じてルックアップテーブル１１４を補正し、この補正されたルックアップテーブル１１４を用いてＷＢ調整値を決定する。
【００２７】
図４は、図１における撮像装置によって実行される撮像処理のフローチャートである。
撮像処理を開始し（ステップＳ１０１）、ユーザにより静止画モードが選択され（ステップＳ１０２で静止画モード）、更に単写モードが選択された場合には（ステップＳ１０３で単写モード）、ＷＢ制御回路１１２は、内部ＲＯＭ１１３に格納されたルックアップテーブル１１４において、これを補正することなく用いてＷＢ調整値を決定する（ステップＳ１０４）。そして、静止画撮影を実行し（ステップＳ１０６）、撮像処理を終了する（ステップＳ１０７）。
【００２８】
ステップＳ１０２において、ユーザにより動画モードが選択された場合には、ＷＢ制御回路１１２は、内部ＲＯＭ１１３に格納されたルックアップテーブル１１４及び補正シフト量１１５を用い、動画モードに応じた補正シフト量１１５によりルックアップテーブル１１４を補正し、ＷＢ調整値を決定する（ステップＳ１０５）。そして、静止画撮影を実行し（ステップＳ１０６）、撮像処理を終了する（ステップＳ１０７）。
【００２９】
ステップＳ１０３において、静止画モードで且つ連写モードが選択された場合には、ＷＢ制御回路１１２は、内部ＲＯＭ１１３に格納されたルックアップテーブル１１４及び補正シフト量１１５を用い、連写モードに応じた補正シフト量１１５によりルックアップテーブル１１４を補正し、ＷＢ調整値を決定する（ステップＳ１０５）。そして、静止画撮影を実行し（ステップＳ１０６）、撮像処理を終了する（ステップＳ１０７）。
【００３０】
以上説明したように、本実施形態によれば、照明手段を用いた撮影を行うときに、例えば静止画撮影モード（単写モード及び連写モードを含む）、動画撮影モード等の如何なる撮影モードであっても最適なホワイトバランスで画像を撮影することができる。
本実施形態では、ルックアップテーブル１１４及び補正シフト量１１５を格納する内部ＲＯＭ１１３を用い、予め記憶されたルックアップテーブル１１４及び補正シフト量１１５を用いて、ＷＢ制御回路によりＷＢ調整値を補正・決定する構成を採るため、装置構成を徒に拡大させることなく、比較的簡素な構成で撮影モードに適合した最適なホワイトバランスで画像を得ることができる。
【００３１】
（第２の実施形態）
本実施形態では、第１の実施形態と同様にＷＢ調整値を補正する構成を採るが、内部ＲＯＭに格納されたものが異なる点で第１の実施形態と相違する。
図５は、第２の実施形態による撮像装置の概略構成を示す構成図である。
【００３２】
この撮像装置において、内部ＲＯＭ１１３は、各種の撮像モードに応じて、閃光装置１１７の発光量と、閃光装置１１７によって照明される前の被写体の照度との関係が異なる複数のルックアップテーブル（ストロボ発光時ＷＢ補正比率ＬＵＴ）１１４を格納している。
【００３３】
ＷＢ制御回路１１２は、閃光装置制御回路１１６から閃光装置１１７の発光量を取得し、色差信号生成回路１０９から出力された色差信号に基づいて、被写体の色温度情報を取得する。更にＷＢ制御回路１１２は、内部ＲＯＭ１１３に格納された複数のルックアップテーブル１１４のうちから撮影モードに応じた最適なルックアップテーブル１１４を選択し、この選択されたルックアップテーブル１１４を用いてＷＢ調整値を補正・決定する。
【００３４】
図６は、図５における撮像装置によって実行される撮像処理のフローチャートである。
撮像処理を開始し（ステップＳ２０１）、ユーザにより静止画モードが選択され（ステップＳ２０２で静止画モード）、更に単写モードが選択された場合には（ステップＳ２０３で単写モード）、ＷＢ制御回路１１２は、内部ＲＯＭ１１３に格納された複数のルックアップテーブル１１４のうちから通常処理用のルックアップテーブル１１４（無補正のルックアップテーブル１１４）を選択し、このルックアップテーブル１１４を用いてＷＢ調整値を決定する（ステップＳ２０４）。そして、静止画撮影を実行し（ステップＳ２０６）、撮像処理を終了する（ステップＳ２０７）。
【００３５】
ステップＳ２０２において、ユーザにより動画モードが選択された場合には、ＷＢ制御回路１１２は、内部ＲＯＭ１１３に格納された複数のルックアップテーブル１１４のうちから、動画モードに応じた最適なルックアップテーブル１１４（動画モードに応じて補正されたルックアップテーブル１１４）を選択し、このルックアップテーブル１１４を用いてＷＢ調整値を決定する（ステップＳ２０４）。そして、静止画撮影を実行し（ステップＳ２０６）、撮像処理を終了する（ステップＳ２０７）。
【００３６】
ここで、静止画モードの際は、２次元状に配列された光電変換部からの信号は、非加算で垂直ＣＣＤ、水平ＣＣＤを介して、撮像素子から出力される。一方、動画モードの際は、２次元状に配列された光電変換部からの信号は、例えば、２ライン毎に垂直ＣＣＤで加算された後、水平ＣＣＤを介して撮像素子から出力される。
【００３７】
以上のように、動画モードでは、垂直ＣＣＤで信号が加算されるため、垂直ＣＣＤで信号が飽和する可能性がある。そのため、静止画モードの際と比較して、撮像素子の基板電圧を高くすることにより、光電変換部の容量を静止画モードの際より小さくしている。
【００３８】
このように、動画モードと静止画モードとで、撮像素子に対する基板電圧を変化させることによる撮像素子の分光感度の違いが生じるため、上記のように静止画モードと動画モードとで、最適なルックアップテーブルを選択している。
【００３９】
ステップＳ２０３において、静止画モードで且つ連写モードが選択された場合には、ＷＢ制御回路１１２は、内部ＲＯＭ１１３に格納された複数のルックアップテーブル１１４のうちから、連写モードに応じた最適なルックアップテーブル１１４（連写モードに応じて補正されたルックアップテーブル１１４）を選択し、このルックアップテーブル１１４を用いてＷＢ調整値を決定する（ステップＳ２０４）。そして、静止画撮影を実行し（ステップＳ２０６）、撮像処理を終了する（ステップＳ２０７）。
【００４０】
ここで、連写モードは、連写速度を速くするために、単写モードと比較して撮像素子の蓄積時間を短くしている。そのため、明るさ分を補正するために、単写モード時と比較して大きなゲインを掛けている。そのため、単写モードと連写モードとで色ズレが生じるため、上記のように静止画モードと動画モードとで、最適なルックアップテーブルを選択している。
【００４１】
以上説明したように、本実施形態によれば、照明手段を用いた撮影を行うときに、例えば静止画撮影モード（単写モード及び連写モードを含む）、動画撮影モード等の如何なる撮影モードであっても最適なホワイトバランスで画像を撮影することができる。
【００４２】
即ち、本実施の形態では、上記のようなモード変更に限らず、撮影モードの変更によって、同じ被写体を撮影した際であっても、得られる画像信号の色再現性が異なるような撮影モードであれば良い。その際に、各々のモードに対応して、色再現性のズレを抑制するようにホワイトバランス調整値（閃光装置の発光量と、閃光装置によって照明される前の前記被写体の照度とを用いたホワイトバランス調整値）を決定する。
【００４３】
本実施形態では、複数の言わば補正されたルックアップテーブル１１４を格納する内部ＲＯＭ１１３を設け、予め記憶された複数のルックアップテーブル１１４を用いて、ＷＢ制御回路によりＷＢ調整値を決定する構成を採るため、装置構成を徒に拡大させることなく、比較的簡素な構成で撮影モードに適合した最適なホワイトバランスで画像を得ることができる。
【００４４】
なお、図４及び図６のフローチャートにおけるプログラムコードは、コンピュータのＲＡＭやＲＯＭなどに記憶されたプログラムが動作することによって実現できる。このプログラム及び当該プログラムを記録したコンピュータ読み取り可能な記憶媒体は本発明の実施形態に含まれる。
【００４５】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、上記プログラムの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【００４６】
また、コンピュータが供給されたプログラムを実行することにより上述の実施形態の機能が実現されるだけでなく、そのプログラムがコンピュータにおいて稼働しているＯＳ（オペレーティングシステム）あるいは他のアプリケーションソフト等と共同して上述の実施形態の機能が実現される場合や、供給されたプログラムの処理の全てあるいは一部がコンピュータの機能拡張ボードや機能拡張ユニットにより行われて上述の実施形態の機能が実現される場合も、かかるプログラムは本発明の実施形態に含まれる。
【００４７】
例えば、図７は、パーソナルユーザ端末装置の内部構成を示す模式図である。この図７において、１２００はコンピュータＰＣである。ＰＣ１２００は、ＣＰＵ１２０１を備え、ＲＯＭ１２０２またはハードディスク（ＨＤ）１２１１に記憶された、あるいはフレキシブルディスクドライブ（ＦＤ）１２１２より供給されるデバイス制御ソフトウェアを実行し、システムバス１２０４に接続される各デバイスを総括的に制御する。
【００４８】
ＰＣ１２００のＣＰＵ１２０１、ＲＯＭ１２０２またはハードディスク（ＨＤ）１２１１に記憶されたプログラムにより、第１の実施形態の図４におけるステップＳ１０１〜Ｓ１０７の手順、及び第２の実施形態の図６におけるＳ２０１〜Ｓ２０７の手順等が実現される。
【００４９】
１２０３はＲＡＭで、ＣＰＵ１２０１の主メモリ、ワークエリア等として機能する。１２０５はキーボードコントローラ（ＫＢＣ）で、キーボード（ＫＢ）１２０９や不図示のデバイス等からの指示入力を制御する。
【００５０】
１２０６はＣＲＴコントローラ（ＣＲＴＣ）で、ＣＲＴディスプレイ（ＣＲＴ）１２１０の表示を制御する。１２０７はディスクコントローラ（ＤＫＣ）で、ブートプログラム（起動プログラム：パソコンのハードやソフトの実行（動作）を開始するプログラム）、複数のアプリケーション、編集ファイル、ユーザファイルそしてネットワーク管理プログラム等を記憶するハードディスク（ＨＤ）１２１１、及びフレキシブルディスク（ＦＤ）１２１２とのアクセスを制御する。
【００５１】
１２０８はネットワークインタフエースカード（ＮＩＣ）で、ＬＡＮ１２２０を介して、ネットワークプリンタ、他のネットワーク機器、あるいは他のＰＣと双方向のデータのやり取りを行う。
【図面の簡単な説明】
【００５２】
【図１】本発明の第１の実施形態による撮像装置の構成を概略的に示すブロック図である。
【図２】実際にＷＢ調整値を算出する過程を説明するための色度信号Ｒ，Ｂに対する利得制御値の相関図である。
【図３】被写体の照度と閃光装置の発光量とから実験的に求められたＷＢ補正比率のルックアップテーブルを示す図である。
【図４】図１の撮像装置によって実行される撮像処理を示すフローチャートである。
【図５】本発明の第２の実施形態による撮像装置の構成を概略的に示すブロック図である。
【図６】図５の撮像装置によって実行される撮像処理を示すフローチャートである。
【図７】パーソナルユーザ端末装置の内部構成を示す模式図である。
【符号の説明】
【００５３】
１０１  レンズ
１０２  絞り
１０３  撮像装置
１０４  ＣＤＳ／ＡＧＣ／ＡＤ
１０５  カメラ信号処理部
１０６  輝度・色度信号生成回路
１０７  Ｂゲイン制御
１０８  Ｒゲイン制御
１０９  色差信号生成回路
１１０  エンコーダ
１１１  システムコントローラ
１１２  ＷＢ制御回路
１１３  内部ＲＯＭ
１１４  ストロボ発光時補正比率ＬＵＴ
１１５  テーブル補正シフト量
１１６  閃光装置制御回路
１１７  閃光装置
１１８  動画・静止画切替回路
１１９  単写・連写切替スイッチ
【図１】
2007036718.tif 000003
【図２】
2007036718.tif 000004
【図３】
2007036718.tif 000005
【図４】
2007036718.tif 000006
【図５】
2007036718.tif 000007
【図６】
2007036718.tif 000008
【図７】
2007036718.tif 000009